【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過したことに基づいて、各々を識別可能な複数種類の識別情報の可変表示を行い表示結果を導出する可変表示手段に識別情報の表示結果として予め定められた特定表示結果が導出されたときに、遊技者にとって有利な特定遊技状態に制御する遊技機であって、
前記始動領域を遊技媒体が通過したにもかかわらず未だ開始されていない識別情報の可変表示について、前記特定表示結果とするか否かを決定するための情報を所定の上限記憶数の範囲内で保留情報として記憶可能な保留記憶手段と、
識別情報の表示結果を導出する以前に、前記保留記憶手段から読み出した前記保留情報に基づいて、当該識別情報の表示結果を前記特定表示結果とするか否かを決定する事前決定手段と、
前記特定表示結果となるか否かを前記事前決定手段による決定前に判定する開始前判定手段と、
前記開始前判定手段による判定に基づいて、当該判定の対象となった前記保留情報に対応する識別情報の表示結果を予告する演出であって、当該判定の対象となった前記保留情報に対応する可変表示が実行される以前の複数回の可変表示に亘って実行される予告演出を実行するか否か、及び、前記予告演出を実行する可変表示の回数を決定する予告演出決定手段と、
前記予告演出決定手段が前記予告演出を実行すると決定したときに、判定の対象となった前記保留情報よりも以前に記憶された前記保留情報の数である予告決定時保留数に応じた予告期間特定回数を記憶する予告期間特定回数記憶手段と、
前記予告期間特定回数記憶手段に記憶されている前記予告期間特定回数を、可変表示が実行されるごとに減算して更新する予告期間特定回数更新手段と、
所定条件が成立したときには、前記予告演出の開始を報知する開始演出を実行した後に前記予告演出を第１タイミングにて開始し、所定条件が成立していないときには、前記開始演出を実行せずに前記予告演出を第２タイミングにて開始する予告演出実行手段と、を備え、
前記予告演出決定手段は、
前記予告期間特定回数記憶手段に前記予告期間特定回数が記憶されていないときには、前記予告決定時保留数に基づいて、前記予告演出を実行する可変表示の回数を決定し、
前記予告期間特定回数記憶手段に前記予告期間特定回数が記憶されているときには、前記予告決定時保留数から前記予告期間特定回数記憶手段に記憶されている前記予告期間特定回数を減算した数に基づいて、前記予告演出を実行する可変表示の回数を決定する、
ことを特徴とする遊技機。
【手続補正２】
【補正対象書類名】明細書
【補正対象項目名】０００９
【補正方法】変更
【補正の内容】
【０００９】
前記課題を解決するために、本発明の請求項１に記載の遊技機は、
遊技領域に設けられた始動領域（例えば普通入賞球装置６Ａが形成する第１始動入賞口や普通可変入賞球装置６Ｂが形成する第２始動入賞口など）を遊技媒体（例えば遊技球など）が通過したことに基づいて、各々を識別可能な複数種類の識別情報の可変表示を行い表示結果を導出する可変表示手段（例えば第１、第２特別図柄表示装置４Ａ、４Ｂや画像表示装置５など）に識別情報の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御する遊技機（例えばパチンコ遊技機１など）であって、
前記始動領域を遊技媒体が通過したにもかかわらず未だ開始されていない識別情報の可変表示について、前記特定表示結果とするか否かを決定するための情報を所定の上限記憶数（例えば第１、第２特図保留記憶数がそれぞれ「４」以下など）の範囲内で保留情報として記憶可能な保留記憶手段（例えば第１、第２特図保留記憶部１５１Ａ、１５１Ｂなど）と、
識別情報の表示結果を導出する以前に、前記保留記憶手段から読み出した前記保留情報に基づいて、当該識別情報の表示結果を前記特定表示結果とするか否かを決定する事前決定手段（例えばステップＳ２４０の処理を実行するＣＰＵ１０３など）と、
前記特定表示結果となるか否かを前記事前決定手段による決定前に判定する開始前判定手段（例えばステップＳ２１２の入賞時乱数値判定処理を実行するＣＰＵ１０３など）と、
前記開始前判定手段による判定に基づいて、当該判定の対象となった前記保留情報に対応する識別情報の表示結果を予告する演出であって、当該判定の対象となった前記保留情報に対応する可変表示が実行される以前の複数回の可変表示に亘って実行される予告演出（例えば、先読み予告パターンＳＹＰ１−１〜３−１に基づく先読み予告演出など）を実行するか否か、及び、前記予告演出を実行する可変表示の回数を決定する予告演出決定手段（例えばステップＳ７１０、Ｓ７１２またはＳ７４１、Ｓ７４３の処理を実行する演出制御用ＣＰＵ１２０など）と、
前記予告演出決定手段が前記予告演出を実行すると決定したときに、判定の対象となった前記保留情報よりも以前に記憶された前記保留情報の数である予告決定時保留数に応じた予告期間特定回数を記憶する予告期間特定回数記憶手段（例えばステップＳ７１３の処理を実行する演出制御用ＣＰＵ１２０など）と、
前記予告期間特定回数記憶手段に記憶されている前記予告期間特定回数を、可変表示が実行されるごとに減算して更新する予告期間特定回数更新手段（例えばステップＳ６０３の処理を実行する演出制御用ＣＰＵ１２０など）と、
所定条件が成立したとき（例えば、停止図柄予告や背景変化予告の実行を決定したときの特図保留記憶数が４であること）には、前記予告演出の開始を報知する開始演出（例えば、キャラクタＡが出現して、先読み予告演出が実行可能となる演出モードに移行することを示す「スーパーチャンスモード突入！！」の文字メッセージが表示される移行演出、例えば、図３３（Ｃ）（Ｄ）参照）を実行した後に前記予告演出を第１タイミング（停止図柄予告や背景変化予告の実行を決定してから２変動目のタイミング、先読み予告演出制御パターンＳＣＰ１−２，２−２（図３３（Ｅ）参照），３−２，４−２，４−２−２（図３９（Ｅ）参照）に対応するタイミング）にて開始し、所定条件が成立していないとき（例えば、停止図柄予告や背景変化予告の実行を決定したときの特図保留記憶数が２または３である場合など）には、前記開始演出を実行せずに前記予告演出を第２タイミング（停止図柄予告や背景変化予告の実行を決定してから１変動目のタイミング、先読み予告演出制御パターンＳＣＰ１−１，２−１（図３０（Ｃ）参照），３−１（図３１（Ｃ）参照），４−１（図３２（Ｃ）参照），４−１−１（図３８（Ｃ）参照），４−２−１に対応するタイミング）にて開始する予告演出実行手段（例えばステップＳ７１０の処理に基づきステップＳ６０４の処理を実行する演出制御用ＣＰＵ１２０など）と、を備え、
前記予告演出決定手段は、
前記予告期間特定回数記憶手段に前記予告期間特定回数が記憶されていないときには、前記予告決定時保留数に基づいて、前記予告演出を実行する可変表示の回数を決定し（例えばステップＳ７１２において、保留数に応じた予告演出制御パターンをセットする演出制御用ＣＰＵ１２０など）、
前記予告期間特定回数記憶手段に前記予告期間特定回数が記憶されているときには、前記予告決定時保留数から前記予告期間特定回数記憶手段に記憶されている前記予告期間特定回数を減算した数に基づいて、前記予告演出を実行する可変表示の回数を決定する（例えばステップＳ７４３において、実行後保留数に応じた予告演出制御パターンをセットする演出制御用ＣＰＵ１２０など）、
ことを特徴としている。
この特徴によれば、予告演出の実行頻度を下げることなく、予告演出を実行する可変表示の回数として、予告演出が重複してしまう回数が決定されてしまうことを防止できる。また、予告演出を実行する可変表示の回数の決定後に予告演出の重複を回避するための処理を実行する必要がないので、処理負担が軽減する。